(57)【要約】【課題】  電子メールなどを受信する際に音を出力する技術として、従来にはなく、面白みがあり、ユーザにとって便利な、通信端末装置を提供する。【解決手段】  受信した文章情報の中に所定の文字符号または文字符号列が含まれるか否かを検索し、音出力用テーブルで保持された所定の文字符号または文字符号列が検出されない場合には、予め定められた所定の音データを音として出力する音データと決定し、音出力用テーブルで保持された所定の文字符号または文字符号列が検出された場合には、当該検出された所定の文字符号または文字符号列に対応付けられた音データを、音として出力する音データと決定する。そして、決定した音データを用いて文章情報の受信時に音を出力する。【選択図】    図１
2006127211.tif 000002
【特許請求の範囲】
【請求項１】
他の装置からデータを受信する通信手段と、
所定の文字符号または文字符号列と音データが対応付けられた音出力用テーブルを記憶する音出力用テーブル記憶手段と、
前記通信手段が受信した文章情報の中に前記所定の文字符号または文字符号列が含まれるか否かを検索する文字符号検索手段と、
前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを、出力する音データとして決定する音データ決定手段と、
前記決定した音データを用いて前記文章情報の受信時に音を出力する音出力手段と、
を備えることを特徴とする通信端末装置。
【請求項２】
前記音出力用テーブルの前記所定の文字符号または文字符号列と前記音データの対応関係の変更を受付ける音出力用テーブル変更受付手段と、
を備えることを特徴とする請求項１に記載の通信端末装置。
【請求項３】
前記音出力用テーブルを他装置に送信する音出力用テーブル送信手段と、
を備えることを特徴とする請求項１または請求項２に記載の通信端末装置。
【請求項４】
前記文字符号検索手段は、前記文章情報によって示される文章の先頭から順に前記所定の文字符号または文字符号列が含まれるか否かを検索し、
前記音データ決定手段は、前記文章情報中から前記音出力用テーブルに保持された前記所定の文字符号または文字符号列が複数検出された場合には、前記文字符号検索手段において最初に検出した前記所定の文字符号または文字符号列に対応する音データを出力する音データとして決定する
ことを特徴とする請求項１から請求項３の何れかに記載の通信端末装置。
【請求項５】
前記文字符号検索手段は、前記文章情報によって示される文章の先頭から順に前記所定の文字符号または文字符号列が含まれるか否かを検索し、
前記音データ決定手段は、前記文章情報中から前記音出力用テーブルに保持された前記所定の文字符号または文字符号列が複数検出された場合には、前記文字符号検索手段において最後に検出した前記所定の文字符号または文字符号列に対応する音データを出力する音データとして決定する
ことを特徴とする請求項１から請求項３の何れかに記載の通信端末装置。
【請求項６】
前記文字符号検索手段は、前記文章情報によって示される文章の先頭から順に前記所定の文字符号または文字符号列が含まれるか否かを検索し、
前記音データ決定手段は、前記文章情報中から前記音出力用テーブルに保持された前記所定の文字符号または文字符号列が複数検出された場合には、その検出された順番で、該検出された前記所定の文字符号または文字符号列に対応する音データを出力する各音データとして決定する
ことを特徴とする請求項１から請求項３の何れかに記載の通信端末装置。
【請求項７】
前記文字符号検索手段は、前記文章情報によって示される文章の先頭から順に前記所定の文字符号または文字符号列が含まれるか否かを検索し、
前記音データ決定手段は、前記文章情報中から前記音出力用テーブルに保持された前記所定の文字符号または文字符号列が複数検出された場合には、その検出された順番で、該検出された前記所定の文字符号または文字符号列に対応する音データを出力する各音データとして決定し、
前記音出力手段は、前記決定した各音データの特定領域をそれぞれ順番に出力する
ことを特徴とする請求項１から請求項３の何れかに記載の通信端末装置。
【請求項８】
前記所定の文字符号または文字符号列は絵文字または顔文字であることを特徴とする請求項１から請求項７の何れかに記載の通信端末装置。
【請求項９】
通信端末装置における受信音出力方法であって、
前記通信端末装置の音出力用テーブル記憶手段が、所定の文字符号または文字符号列と音データが対応付けられた音出力用テーブルを記憶し、
前記通信端末装置の文字符号検索手段が、受信した文章情報の中に前記所定の文字符号または文字符号列が含まれるか否かを検索し、
前記通信端末装置の音データ決定手段が、前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを出力する音データとして決定し、
前記通信端末装置の音出力手段が、前記決定した音データを用いて前記文章情報の受信時に音を出力する
ことを特徴とする受信音出力方法。
【請求項１０】
所定の文字符号または文字符号列と音データが対応付けられた音出力用テーブルを記憶する音出力用テーブル記憶手段を備えた、通信端末装置のコンピュータに実行させるプログラムであって、
受信した文章情報の中に前記所定の文字符号または文字符号列が含まれるか否かを検索する文字符号検索処理と、
前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを出力する音データとして決定する音データ決定処理と、
前記決定した音データを用いて前記文章情報の受信時に音を出力する音出力処理と、
をコンピュータに実行させるプログラム。
【発明の詳細な説明】
【技術分野】
【０００１】
本発明は、電子メールを受信した際に当該受信したことを知らせる音を出力する通信端末装置及び受信音出力方法ならびにそのプログラムに関する。
【背景技術】
【０００２】
従来、携帯電話などの携帯端末においては、電子メールなどの文章情報を受信するとその電子メールの受信を知らせるための音や楽曲を出力する機能が備えられている。ここで、近年、カッコやカンマや句読点を複数並べて顔を表現した顔文字や、絵文字＜矢印や天気（太陽、雲、雷、雨傘）などを表す文字サイズの小さな画像＞を電子メールの文章中に挿入して、文章の表現を豊にする方法が多く利用されている。そして、関連技術として、文章情報を読み上げる際において、顔文字や絵文字の読み上げ時に、当該顔文字や絵文字に対応する音を出力する技術が公開されている。
【特許文献１】特開２００３−１５０５０７号公報
【発明の開示】
【発明が解決しようとする課題】
【０００３】
ここで、近年、ユーザへのサービス向上を図ることを目的として、携帯端末に様々な機能を盛り込む開発が盛んに行なわれているが、より面白みがあり、便利な機能を携帯端末に追加する必要がある。
【０００４】
そこでこの発明は、電子メールなどを受信する際に音を出力する技術として、従来にはなく、面白みがあり、ユーザにとって便利な、通信端末装置及び受信音出力方法ならびにそのプログラムを提供することを目的としている。
【課題を解決するための手段】
【０００５】
本発明は、上述の課題を解決すべくなされたもので、他の装置からデータを受信する通信手段と、所定の文字符号または文字符号列と音データが対応付けられた音出力用テーブルを記憶する音出力用テーブル記憶手段と、前記通信手段が受信した文章情報の中に前記所定の文字符号または文字符号列が含まれるか否かを検索する文字符号検索手段と、前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを、出力する音データとして決定する音データ決定手段と、前記決定した音データを用いて前記文章情報の受信時に音を出力する音出力手段と、を備えることを特徴とする通信端末装置である。
【０００６】
また本発明は、前記音出力用テーブルの前記所定の文字符号または文字符号列と前記音データの対応関係の変更を受付ける音出力用テーブル変更受付手段と、を備えることを特徴とする。
【０００７】
また本発明は、前記音出力用テーブルを他装置に送信する音出力用テーブル送信手段と、を備えることを特徴とする。
【０００８】
また本発明は、前記文字符号検索手段は、前記文章情報によって示される文章の先頭から順に前記所定の文字符号または文字符号列が含まれるか否かを検索し、前記音データ決定手段は、前記文章情報中から前記音出力用テーブルに保持された前記所定の文字符号または文字符号列が複数検出された場合には、前記文字符号検索手段において最初に検出した前記所定の文字符号または文字符号列に対応する音データを出力する音データとして決定することを特徴とする。
【０００９】
また本発明は、前記文字符号検索手段は、前記文章情報によって示される文章の先頭から順に前記所定の文字符号または文字符号列が含まれるか否かを検索し、前記音データ決定手段は、前記文章情報中から前記音出力用テーブルに保持された前記所定の文字符号または文字符号列が複数検出された場合には、前記文字符号検索手段において最後に検出した前記所定の文字符号または文字符号列に対応する音データを出力する音データとして決定することを特徴とする。
【００１０】
また本発明は、前記文字符号検索手段は、前記文章情報によって示される文章の先頭から順に前記所定の文字符号または文字符号列が含まれるか否かを検索し、前記音データ決定手段は、前記文章情報中から前記音出力用テーブルに保持された前記所定の文字符号または文字符号列が複数検出された場合には、その検出された順番で、該検出された前記所定の文字符号または文字符号列に対応する音データを出力する各音データとして決定することを特徴とする。
【００１１】
また本発明は、前記文字符号検索手段は、前記文章情報によって示される文章の先頭から順に前記所定の文字符号または文字符号列が含まれるか否かを検索し、前記音データ決定手段は、前記文章情報中から前記音出力用テーブルに保持された前記所定の文字符号または文字符号列が複数検出された場合には、その検出された順番で、該検出された前記所定の文字符号または文字符号列に対応する音データを出力する各音データとして決定し、前記音出力手段は、前記決定した各音データの特定領域をそれぞれ順番に出力することを特徴とする。
【００１２】
また本発明は、前記所定の文字符号または文字符号列は絵文字または顔文字であることを特徴とする
【００１３】
また本発明は、前記通信端末装置の音出力用テーブル記憶手段が、所定の文字符号または文字符号列と音データが対応付けられた音出力用テーブルを記憶し、前記通信端末装置の文字符号検索手段が、受信した文章情報の中に前記所定の文字符号または文字符号列が含まれるか否かを検索し、前記通信端末装置の音データ決定手段が、前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを出力する音データとして決定し、前記通信端末装置の音出力手段が、前記決定した音データを用いて前記文章情報の受信時に音を出力することを特徴とする受信音出力方法である。
【００１４】
また本発明は、所定の文字符号または文字符号列と音データが対応付けられた音出力用テーブルを記憶する音出力用テーブル記憶手段を備えた、通信端末装置のコンピュータに実行させるプログラムであって、受信した文章情報の中に前記所定の文字符号または文字符号列が含まれるか否かを検索する文字符号検索処理と、前記音出力用テーブルで保持された前記所定の文字符号または文字符号列が検出されない場合には、予め定められた所定の音データを出力する音データとして決定し、前記音出力用テーブルで保持された前記所定の文字符号または文字符号列が検出された場合には、当該検出された所定の文字符号または文字符号列に対応付けられた前記音データを出力する音データとして決定する音データ決定処理と、前記決定した音データを用いて前記文章情報の受信時に音を出力する音出力処理と、をコンピュータに実行させるプログラムである。
【発明の効果】
【００１５】
本発明によれば、受信した文章情報の中に所定の文字符号または文字符号列が含まれるか否かを検索し、音出力用テーブルで保持された所定の文字符号または文字符号列が検出されない場合には、予め定められた所定の音データを出力する音データとして決定し、音出力用テーブルで保持された所定の文字符号または文字符号列が検出された場合には、当該検出された所定の文字符号または文字符号列に対応付けられた音データを出力する音データとして決定する。そして、決定した音データを用いて文章情報の受信時に音を出力する。
これにより、受信した文章情報の中に含まれる文字符号または文字符号列に応じた、音が出力されるので、例えば携帯電話などにおいては、ユーザの音出力用テーブルの設定により、着信した電子メールなどの内容を当該電子メールの着信時に知ることができ、これを面白みがあり便利な機能としてユーザに提供することが出来る。
【００１６】
また本発明によれば、音出力用テーブルの所定の文字符号または文字符号列と音データの対応関係の変更を受付ける。これによりユーザの好みの音データの音を文字符号や文字符号列に応じて出力させることが出来る。
【００１７】
また本発明によれば、音出力用テーブルを他装置に送信する音出力用テーブル送信手段を備える。これによりＰＣなどで音出力用テーブルを変更することが出来る。
【００１８】
また本発明によれば、文章情報中に所定の文字符号または文字符号列が複数ある場合には、それらに対応する音データを用いて順番に音を発生させたり、最初に検出した所定の文字符号または文字符号列に対応する音データを用いて音を発生させたり、最後に検出した所定の文字符号または文字符号列に対応する音データを用いて音を発生させたり、それぞれの音データの特定領域を用いて順番に音を発生させたりするので、これにより、より受信音の設定方法が多様化し、より多くのサービスをユーザに提供することが出来る。
【発明を実施するための最良の形態】
【００１９】
以下、本発明の一実施形態による通信端末装置を図面を参照して説明する。図１は携帯端末（例えば携帯電話）のハードウェア構成を示す図である。この図において、符号１は携帯端末である。また１０はＣＰＵ（音出力用テーブル変更受付手段、音出力用テーブル送信手段）であり、ＲＯＭ１１に格納されたプログラムを用いて、携帯端末１の各種機能を処理するとともに、各処理部を制御する。また１１はＲＯＭ（Read Only Memory）、１２はＲＡＭ（Random Access Memory＝音出力用テーブル記憶手段）、１３は入力されるデータに基づいて音楽信号を出力する音源、１４は電子メール着信時の音を発するスピーカである。また１５は他装置と無線によりデータの送受信を行う通信部、１６は各種情報を表示する表示部、１７は携帯端末１にユーザが指示の情報を入力するための操作部、１８は通信部１５を介して他装置から受信した通話の音声を出力するスピーカ、１９は携帯端末１を利用するユーザの音声を入力するマイクである。２０はシリアル（またはパラレル）Ｉ／Ｆである。
【００２０】
図２は本実施形態における受信音の出力に関する機能構成を示す図である。
次に、携帯端末に備えられた受信音出力の機能構成について説明する。
図２より、携帯端末１は受信音出力の機能構成として、楽曲データ（音データ）を記憶する楽曲データ記憶部２１と、メールテキストデータ（文章情報）を構文解析して絵文字を示す符号や顔文字を示す符号列を検索するテキストパーサ２２（文字符号検索手段、音データ決定手段）と、テキストパーサ２２が検出した絵文字や顔文字の符号または符号列に対応する楽曲データを楽曲データ記憶部２１から読み取る楽曲コントローラ２３と、楽曲データを再生処理するとともに、音源１３へ音出力の指示を行うプレイヤ２４と、上述した音源１３（音出力手段）とを備えている。
【００２１】
図３は楽曲出力用テーブルのデータ構成を示す図である。
楽曲出力用テーブルは、絵文字の符号や顔文字が示す文字の符号列と楽曲データの識別情報とを対応付けて記憶している。そして、この楽曲出力用テーブルはＲＡＭ１２に記録されており、テキストパーサ２２は楽曲出力用テーブルを読み込んで、メールテキストデータの中から、楽曲出力用テーブルに保持されている絵文字の符号や顔文字を示す文字の符号列の情報を検索する。
【００２２】
図４は携帯端末における受信音出力の際の処理フローを示す図である。
次に、携帯端末１における受信音出力の処理フローについて説明する。
図４より、まず、携帯端末１は通信部１５を介して電子メールを受信する。するとＣＰＵ１０において、電子メールからメールテキストデータ（受信メールの本文）を読み取る処理を行ない、当該メールテキストデータをテキストパーサ２２に通知する（ステップＳ１）。テキストパーサ２２はメールテキストデータの通知を受けると、ＲＡＭ１２から楽曲出力用テーブルを読み取り、当該楽曲出力用テーブルの保持する絵文字の符号や顔文字を示す符号列の情報が、メールテキストデータ内に存在するか否かを検索する構文解析（パース処理）を行う（ステップＳ２）。ここで、顔文字はメールテキストデータ中では、例えば、カンマやカッコや句読点で示された各文字の符号列によって示され、また絵文字であれば当該絵文字の画像を示す符号によって示されている。
【００２３】
テキストパーサ２２は、構文解析の結果、絵文字の符号や顔文字の符号列をメールテキストデータから検出すると、その絵文字の符号や顔文字の符号列に対応する楽曲データの識別情報を楽曲コントローラ２３に通知する。すると、楽曲コントローラ２３はテキストパーサ２２から受付けた楽曲データの識別情報に対応する楽曲データを楽曲データ記憶部２１から読み込む（ステップＳ３）。そして楽曲コントローラ２３は、読み込んだ楽曲データをプレイヤ２４にロードし、再生指示を通知する（ステップＳ４）。
【００２４】
プレイヤ２４は再生指示を受付けると、ロードされた楽曲データの再生処理を行なう（ステップＳ５）。楽曲データはいわゆるＭＩＤＩ形式のシーケンスデータであり、プレイや２４では楽曲データ中のイベント列を時刻シーケンスに従って音源１３へ送信する（ステップＳ６）。音源１３はイベント列を受付けて、イベントに従って楽音信号を生成してスピーカ１４に送出する（ステップＳ７）。例えばイベントは、発音イベントや音色変更イベントや音量変更イベントやピッチ変更イベントなどがあり、音源１３はこれらイベントに従って楽曲の音の音色や音量やピッチなどを変更する。
【００２５】
なお、上述の処理において、テキストパーサ２２がメールテキストデータの中から絵文字の符号や顔文字の符号列を検出できなかった場合には、テキストパーサ２２は予め設定された所定の楽曲データを示す識別情報を楽曲コントローラ２３に通知する。すると、楽曲コントローラ２３はその所定の楽曲データを示す識別情報を楽曲データ記憶部２１から読み取って（ステップＳ８）、当該楽曲データのプレイヤ２４へのロードと、再生指示の通知を行う。その後の処理は上述した処理と同様である。
【００２６】
以上の処理により、受信した電子メールのテキストに含まれる顔文字や絵文字に対応する楽曲の音が、受信時に発信される。なお、楽曲データは、楽曲をサンプリングした波形データであっても良く、その場合は、オーディオ再生機能を搭載して再生を行う。また、波形データ自身を楽曲データフォーマット中に保持しても良く、その場合は音源１３にＰＣＭデコード機能を持たせ、それを利用すれば良い。
【００２７】
次に、電子メールの文章に複数の絵文字や顔文字が含まれる場合のテキストパーサ２２の処理について説明する。
顔文字や絵文字が電子メールの文章内に複数保持されていた場合には、以下４つの処理方法のいずれかが処理されるよう設定できるようにしても良い。
１）メールテキストデータ中から楽曲出力用テーブルに保持された絵文字の符号または顔文字の符号列が複数検出された場合には、最初に検出した絵文字の符号または顔文字の符号列に対応する楽曲データを選択する方法。
２）メールテキストデータ中から楽曲出力用テーブルに保持された絵文字の符号または顔文字の符号列が複数検出された場合には、最後に検出した絵文字の符号または顔文字の符号列に対応する楽曲音データを楽曲音として出力する楽曲データと決定する方法。
３）メールテキストデータ中から楽曲出力用テーブルに保持された絵文字の符号または顔文字の符号列が複数検出された場合には、その検出された順番で、該検出された絵文字の符号または顔文字の符号列に対応する楽曲データを楽曲音として出力する各楽曲データと決定する方法。
４）メールテキストデータ中から楽曲出力用テーブルに保持された絵文字の符号または顔文字の符号列が複数検出された場合には、その検出された順番で、該検出された絵文字の符号または顔文字の符号列に対応する楽曲データを楽曲音として出力する各楽曲データと決定し、決定した各楽曲データの特定領域をそれぞれ順番に出力する方法。
【００２８】
なお、上記１〜４の処理方法においては、テキストパーサ２２はメールテキストデータによって示される文章の先頭から順に絵文字の符号または顔文字の符号列が含まれるか否かを検索している。また上記１〜４の処理方法のどれを行うかは、ユーザからの指示を奏サブ１７から受付けるようにしても良いし、予め何れかの処理方法のみが出来るように設定されていても良い。また上記４の処理は、各楽曲データの特定領域は例えば、楽曲の開始から３秒までのデータ領域などと設定されている（またはデータの先頭からのデータ量が規定されている）。
【００２９】
また、上記楽曲出力用テーブルはユーザがカスタマイズすることもできる。例えば、楽曲出力用テーブルの情報をユーザの指示に基づいてＣＰＵ１０の処理により表示部１６に表示し、操作部１７から受付けた入力に基づいて、楽曲出力用テーブルの楽曲データの識別情報や、絵文字や顔文字の情報を変更する。これにより、ユーザの好みの楽曲データの楽曲を絵文字や顔文字に対応して着信時の楽曲とすることができる。
またＣＰＵ１０の処理によりシリアル（パラレル）Ｉ／Ｆ経由でＰＣに楽曲出力用テーブルを送信し、ＰＣ上で楽曲出力用テーブルを変更する処理を行うようにしても良い。
また本実施形態においては携帯電話で電子メールを受信する際の楽曲データの楽曲の出力について説明しているが、電子メールに限らず、文章情報の受信に基づいて楽曲データの楽曲の出力を行うような装置に上述の処理を適用することが出来る。
【００３０】
なお上述の携帯端末は内部に、コンピュータシステムを有しており、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭであってもよい。また、このコンピュータプログラムを通信回線によってコンピュータに配信し、この配信を受けたコンピュータが当該プログラムを実行するようにしても良い。
【００３１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】携帯端末（例えば携帯電話）のハードウェア構成を示す図である。
【図２】受信音の出力に関する機能構成を示す図である。
【図３】楽曲出力用テーブルのデータ構成を示す図である。
【図４】携帯端末における受信音出力の際の処理フローを示す図である。
【符号の説明】
【００３３】
１・・・携帯端末、１１・・・ＲＯＭ、１２・・・ＲＡＭ、１３・・・音源、１４，１８・・・スピーカ、１５・・・通信部、１６・・・表示部、１７・・・操作部、１９・・・マイク、２０・・・シリアル（パラレル）Ｉ／Ｆ、２１・・・楽曲データ記憶部、２２・・・テキストパーサ、２３・・・楽曲コントローラ、２４・・・プレイヤ
【図１】
2006127211.tif 000003
【図２】
2006127211.tif 000004
【図３】
2006127211.tif 000005
【図４】
2006127211.tif 000006